Podtech/llm-jp-corpus-v4-ja_patent huggingface dataset:
(57)【要約】【課題】  従来技術は、新出漢字が新出する順番で複数記載されている漢字ドリルであり、単に漢字を覚えるものである。また、アニメーション画像を使い、その漢字がどのような考え方で出来たかを説明するもので、本発明のようなストーリー本で漢字を覚えるものではない。【解決手段】  文部科学省学年別漢字配当表に示された字以外の漢字は使用しないストーリー本であることを特徴とする。【特許請求の範囲】
【請求項１】
文部科学省学年別漢字配当表に示された字以外の漢字は使用しないストーリー本であることを特徴とする学年別学習漢字ストーリー本。
【請求項２】
小学校第１学年用は、８０字であることを特徴とする請求項１記載の学年別学習漢字ストーリー本。
【請求項３】
小学校第２学年用は、１６０字あるいは前記第１学年用８０字を加えた２４０字であることを特徴とする学年別学習漢字ストーリー本。
【請求項４】
前記請求項３のような条件を満たした小学校・中学校・高等学校のストーリー本であることを特徴とする学年別学習漢字ストーリー本。
【請求項５】
ストーリー本の内容や表現が、マンガ調あるいはアニメ調であることを特徴とする請求項１、２、３又は４記載の学年別学習漢字ストーリー本。
【発明の詳細な説明】
【技術分野】
【０００１】  本発明は、少なくとも文部科学省学年別漢字配当表に基づいた学年別学習漢字ストーリー本に関するものである。
【背景技術】
【０００２】  従来の技術として、漢字ドリルを、新出漢字が国語の教科書に新出する順番で複数記載されている学習ページ１を備え、新出する順番と、学習すべき新出漢字の総数とが表示された学習進度ラベル１０が、新出漢字に付されている構成とする。また、学習進度ラベル１０は、学習ページに記載された複数の新出漢字の表示の上部余白にそれぞれ記載されているものとすることができるものがある。（特許文献１参照）【０００３】  また、別の従来技術として、同一の画面内に、漢字の字源をアニメーション化したアニメーション画像と、前記字源に対応する漢字と、該アニメーション画像から漢字までの間の少なくとも１段階の中間変化形画像とが表示形成されてなり、前記アニメーション画像、中間変化形画像及び漢字はこの順で一列に表示され、更に前記漢字の読み方をひらがなで併記したことを特徴とする漢字速習教材がある。（特許文献２参照）
【先行技術文献】
【特許文献】
【０００４】
【特許文献１】特開２０１５−２０５４１３号公報
【特許文献２】特開２００２−２０７４１４号公報
【発明の概要】
【発明が解決しようとする課題】
【０００５】  上記前者の従来技術は、新出漢字が新出する順番で複数記載されている漢字ドリルであり、単に漢字を覚えるものである。【０００６】  前記後者の従来技術は、アニメーション画像を使い、その漢字がどのような考え方で出来たかを説明するもので、本発明のようなストーリー本で漢字を覚えるものではない。【０００７】  本発明は、このような従来の構成が有していた問題を解決しようとするもので、文部科学省学年別漢字配当表に基づいて、ストーリー本を作成し、ストーリーの中で各学年の漢字を覚える学年別学習漢字ストーリー本を提供することを目的とする。
【課題を解決するための手段】
【０００８】  本発明は、上記の目的を達成するため、文部科学省学年別漢字配当表に示された字以外の漢字は使用しないストーリー本であること。小学校第１学年用は、８０字であること。小学校第２学年用は、１６０字あるいは前記第１学年用８０字を加えた２４０字であること。前記請求項３のような条件を満たした小学校・中学校・高等学校のストーリー本であること。ストーリー本の内容や表現が、マンガ調あるいはアニメ調であることを特徴とする。
【発明の効果】
【０００９】１）、文部科学省学年別漢字配当表に示された字以外の漢字は使用しないストーリー本であり、そのストーリーの内容を理解しながら漢字を覚えることができる。
２）、小学校第１学年用は８０字であり、８０字の文字が表現されたストーリー本で、楽しみながら、かつ、前後のストーリーを理解しながら小学校第１学年の漢字を覚えることができる。
３）、小学校第２学年用以降も同じであり、前年用の漢字を付加することにより、過去の漢字においては復習的に覚えることができる。
４）、本のストーリーはマンガ調やアニメ調にすることにより、絵と言葉（漢字）が複合し、頭の中でストーリーがより理解でき、どのような場面（関連性）で、どのような漢字が出てくるかが分かり、容易に漢字を覚える（記憶）ことができる。
５）、現有するアニメのキャラクターの著作権を持っている企業とジョイントしてストーリー本を発行するのも効果がある。
【発明を実施するための形態】
【００１０】  学年別学習漢字ストーリー本の実施例について下記に説明する。
例えば、小学校第１学年用の文部科学省学年別漢字配当表に示された８０字（平成３０年４月１日現在）の漢字を使用して、ストーリー本の一例として「夕立のあと、花や草は水をいっぱいすって、キレイだね！」をマンガ調（例えば、花畑の絵の中に男の子が女の子に話しているマンガ）とする。
【００１１】  また、別のストーリーとして、「手を上げて、左右をみて、車がいないかチェックしよう！」をアニメ調（例えば、道路に車が走っている絵のそばに男の子と女の子が車が左右から来ているか確認しながら話しているアニメ）とする。
【００１２】  このように、小学校第１学年で習う漢字（８０字）を単語や熟語を使用し、小学１年生が絵を見ながら会話を理解しながら漢字を覚えることができる。
【００１３】  その他、花火・天気・犬・先日・一月二日・紅白・青虫・森林・学校・入学等、色々な漢字を使用してのストーリー本を作ることができる。
【００１４】  なお、小学校第１学年から小学校第６学年までも、各々単年でのストーリー本でもよく、順次加えた総合的ストーリー本でもよく、改訂（漢字）になった時点で新規作成することも考える。
また、マンガ調においては、例えば４コママンガ等が考えられる。
さらに、アニメ調においては、アニメの主人公を使用し、子供達に興味を持っていただく。
(57)【要約】【課題】  従来の印鑑は、印影の一致のみで正当な印鑑と認識される為、偽造されやすいという問題があった。【解決手段】  印字面の周りに凹凸があり、印鑑のキャップに印字面のみに接する朱肉を設ける。若しくは、さらにキャップの朱肉の周りに白または無色の印肉を設ける。【特許請求の範囲】
【請求項１】
印鑑の偽造を防止する目的で、印影となる印字部の周りに凹凸を設け、押印時に印影と共に紙面に立体の凹凸が生じる印鑑、若しくは取り付ければ同様の機能をもつ印鑑ホルダー。
【請求項２】
印鑑の偽造を防止する目的で、印影となる印字部の周りに凹凸を設け、印影となる印字面には通常の朱肉を付け、印影の周りには白または無色の印肉を付けて捺印する印鑑、若しくは取り付ければ同様の機能をもつ印鑑ホルダー。
【発明の詳細な説明】
【技術分野】
【０００１】  この発明は用紙に印影だけでなく、印影の周りに個々に違った模様、文字、記号等の凹凸を設けることにより凹凸模様そのものを識別、若しくは凹凸模様を白または無色の印肉で印すことにより、本物の印鑑で捺印されたことが判明できる印鑑に関するものである。
【背景技術】
【０００２】  従来、印鑑は押印時に用紙に表示されるのは印影のみであった。
【先行技術文献】
【特許文献】
【０００３】
【特許文献１】特開  ２００５−６６８３７  号公報
【発明の概要】
【発明が解決しようとする課題】
【０００４】  従来の印鑑は、印字面全体に朱肉を付けて押印し、印影の一致のみで正当な印鑑と認識される為、印影の写しがあれば簡単に偽造されやすいという問題があった。
【課題を解決するための手段】
【０００５】  印字面を印影となる印字部と凹凸となる外縁部に分け、印鑑（１）のキャップ（３）内部に印字部（２）のみに接する朱肉（４）を設ける。若しくは、さらにキャップの朱肉の周りに白または無色の印肉を設ける。
本発明は、以上のような構成よりなる印鑑である。
【発明の効果】
【０００６】  印字部のみに朱肉が付き、周りの凹凸部には朱肉が付かないため、印影の周りに個々の印鑑毎で異なる立体の凹凸が生じる。印影と周りの凹凸を照合することで、正当な印鑑か否かを識別できる。
【図面の簡単な説明】
【０００７】
【図１】  本発明の印鑑本体の斜視図である。
【図２】  本発明の正面図である。背面図は正面図と同一にあらわれる。
【図３】  本発明のキャップをした状態の斜視図である。
【図４】  本発明のキャップの斜視図である。
【図５】  本発明のキャップの断面図である。
【図６】  本発明の平面図である。
【図７】  本発明の底面図である。
【発明を実施するための形態】
【０００８】  以下、本発明を実施するための形態について説明する。
印字部（２）の周りに凹凸があり、印鑑（１）のキャップ（３）内部に印字部のみに接する朱肉（４）を設ける。若しくは、印字部（２）の周りに凹凸があり、印鑑（１）のキャップ（３）内部に印字部のみに接する朱肉（４）とその周りに白または無色の印肉を設ける。
本発明は、以上のような構造である。これを使用するときは、捺印マットに用紙を置き、印鑑のキャップを取り、押印する。
【符号の説明】
【０００９】  １  印鑑
２  印字部
３  キャップ
４  朱肉
【図１】
2020032710.tif 000002
【図２】
2020032710.tif 000003
【図３】
2020032710.tif 000004
【図４】
2020032710.tif 000005
【図５】
2020032710.tif 000006
【図６】
2020032710.tif 000007
【図７】
2020032710.tif 000008
(57)【要約】【課題】作業に必要な、平行ｌｉｎｅ引き、位置だしに使う従来の曲尺には、小さく繊細なポイントを書かなくてはならないため、作業時間が費やされる事と、円ｌｉｎｅ引きには、別の定規が必要になるので、曲尺  Ｆ・ｌｉｎｅを提供する【解決手段】  従来の曲尺の内辺に、５ｍｍピッチで小さな山形切り欠き溝を作る。始まりの５ｍｍ位置切り欠き溝から−１０ｍｍ位置に２．０φの穴を作る。上記の形状を設けた曲尺  Ｆ・ｌｉｎｅの特徴とする。【選択図】図１
2020169970.tif 000002
【特許請求の範囲】
【請求項１】
曲尺の内辺にピッチ切り欠き溝を設け、さらに２．０φ程度の基準穴を設け、曲尺に、正確な平行ｌｉｎｅ引き及び円ｌｉｎｅ引きを設けた曲尺  Ｆ・ｌｉｎｅ。
【発明の詳細な説明】
【技術分野】
【０００１】この発明は、支持する辺に対し、５の倍数ｍｍピッチで平行ｌｉｎｅが永遠と引ける事と、一点から５ｍｍの倍数半径ピッチの円ｌｉｎｅが瞬く間に引ける曲尺  Ｆ・ｌｉｎｅに関するものである
【背景の技術】
【０００２】従来、曲尺として使われていた定規
【先行技術文献】
【特許文献】
【０００３】
【発明の概要】
【発明が解決しようとする課題】
【０００４】これは次のような欠点があった。
（イ）平行ｌｉｎｅを引くとき、基準になる辺から、位置を２点出し、その点と点に定規      を合わせ、平行ｌｉｎｅを引く。この作業には、極力小さな点の２点ではないと、      点の位置に定規を合わせる時に、微妙なズレが生じる。
（ロ）平行ｌｉｎｅを引くとき、１ｍ、２ｍ、３ｍなど長距離なｌｉｎｅが引きたいとき      、定規の長さの届く所まで引き、また位置出してから、届く所まで引くの繰り返し      が生じる。
（ハ）円ｌｉｎｅを引くには、従来の曲尺のみでは、不可能。
本発明は、以上のような欠点をなくし、速度と正確を導くためになされたものである。
【課題を解決するための手段】
【０００５】（イ）（ロ）対策  従来の曲尺の内辺に、５ｍｍピッチで小さな山形切り欠き溝を作る。
（ハ）対策        上記の曲尺に、始まりの５ｍｍ位置から−１０ｍｍ位置に２．０φの                  穴を作る。
本発明は、以上の構成よりなる、曲尺  Ｆ・ｌｉｎｅである。
【発明の効果】
【０００６】（イ）基準になる辺に、定規をあて、引きたい位置の切り欠き溝に、筆記用具の先を引っ      掛けて、定規を筆記用具方向に滑らせると、正確な平行ｌｉｎｅを、あっという間      に引くことができる
（ロ）平行線までいらず、ただの位置出しとしても、少しだけ引いて書き出せば、小さな      点よりも確認しやすい、正確な位置が書き出せる。
（ハ）Ｆ・ｌｉｎｅと、筆記用具と、基準穴の支え用の針系か、ビス等があれば、定規最      後の切り欠き位置までの１０ｍｍφより大きな５ｍｍの倍数の半径円ｌｉｎｅを引      くことができる。
上記が可能な定規が、スピード作業上の正確な墨出しが可能になる定規になる。
【図面の簡単な説明】
【０００７】
【図１】  本発明の平面図である。
【図２】  本発明の斜視図である。
【発明を実施するための形態】
【０００８】以下、本発明を実施するための形態について説明する。
曲尺の内側２辺の５ｍｍピッチの位置に、ピッチを中心の底辺２ｍｍ、高さ１ｍｍの山形切り欠き形状の溝を作る。
内角側からスタートする５ｍｍピッチ掻き込みから−１０ｍｍ位置に、円ｌｉｎｅの円中心穴を開ける。
本発明は、以上のような構造である。
さらに、応用として、滑らす側に、１ｍｍ，２ｍｍ，３ｍｍ，４ｍｍ厚さキャップを被せれば、１ｍｍピッチも可能になる。
【符号の説明】
【０００９】１  曲尺の本体
２  掻き込み形状  筆記用具の支持される箇所
３  円中心穴  起点となる支持部分
【図１】
2020169970.tif 000003
【図２】
2020169970.tif 000004
(57)【要約】      （修正有）【課題】新型揚水発電システムを提供する。【解決手段】トンネルを２０度〜３０度を目安に直線的に掘削する。山上からの水に加え、揚水した水を流す。流れ落ちた水をポンプで山上に戻す。水車発電機を３〜５メートル間隔で配置、発電する。設備のメンテナンスにアプト式ケーブルカーを設置する。【選択図】図２
2020169636.tif 000002
【特許請求の範囲】
【請求項１】
［トンネル内を高角度に］
申請する「日本の技術結集発電システム」の基本的課題は、トンネルを高角度にしなければ目的が達成出来ない。よってトンネル掘削およびその角度を２０度〜３０度を目安とし、特殊な地形によっては、３０度を超えた角度で掘削すること。
【請求項２】
［トンネル内に水路とタービン設置］
トンネルの内部に水路を設け、発電設備すなわちタービンを設置すること。
その間隔は３〜５メートルを目安として、ローラー式滑り台状に、数十メートルから数十キロメートル敷き並べる構造とする。
【請求項３】
［トンネル内天部にクレーン設置］
タービンは、トンネル天井からのクレーンで脱着・交換が容易な状態にする、原子炉の燃料棒交換システムと同様な構造とする。
【請求項４】
［タービンは横棒型の水車と一体型］
タービンは、横棒状の水車と連結した構造とし、中央に発電機を配置し、両脇を各・約１メートルを超える羽根を付けた水車とし川の水圧・流量を効率よく回転軸に収納・エネルギー化できる形とし、両端を懸架・吊上・運搬可能なものとする。
【請求項５】
［トンネル内にアブト式電車］
トンネルの中央部には、発電システム全体のメンテナンスを考えアブト式状の線路と、トロッコ型クレーン搭載電車を設置・運用。
機材の運搬・人の輸送を可能にする。客車も可能にする。
【請求項６】
［川の流れに揚水システムをプラス］
トンネルの上部および、、下部には貯水槽・プールを設け、揚水発電所のシステムを設け、自然の川の流れにプラスして、強力に水圧・水流を加算・加増して発電効率をアップさせる。
【請求項７】
［水車に水道蛇口加圧噴射］
各タービン毎に、水道管蛇口を設置、水車の逆側からも水圧を掛けて回転をアップし、発電能力を高める装置を追加する。
【請求項８】
［発電機内に加圧乾風送風］
発電機には収納カバーボックスを設け、水で濡れることの無いよう加圧した乾風の送風機を設置する
【発明の詳細な説明】
【技術分野】
【０００１】エネルギー工学
【背景技術】
【０００２】トンネル掘削技術（新幹線を通す、山中直線くり貫き技術）
水力発電技術（水力・揚水発電）
風力発電技術（天空での小型発電）
原子力発電技術（燃料棒の装脱着技術）
遊具滑り台原理（ローラー式滑り台）
皇居の石垣門・巨石運搬技術（水の力と、その活用）
自転車の車輪のベアリング使用技術（抵抗の削減）
古来の水車技術（縦細型・車輪型を横幅広型に工夫）
登山電車の技術（アブト式ケーブルカー）
自然の力・水（日光華厳の滝から神橋の下を流れる大谷川）
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】１、資源のない国「日本」に、新・自然エネルギーを提案する。
２、世界に自然エネルギーを提供し、地球温暖化を悔い止める。
３、石油をドルで買い、アメリカに中近東武器輸出でドルの回収をさせる日本人の平和・経済感覚（間接的戦争加担）への警鐘。
【課題を解決するための手段】１、既存の技術を取り入れ結集し、この発電所を沢山建設する。
２、この方式により、石油の輸入・燃焼化での使用を削減する。
３、電力会社が手に負えないなら、地方自治体がファンドを活用してエネルギーの地産地消を掲げ・地元電力企業を創建し、地元雇用を生み出して、日本の産業構造を改革・活性化して貰いたい。
【発明の効果】１、建設費はかかるが、燃料費が無い為、エネルギー原価の調節で人件費の安い世界と伍して戦える産業構造改革を実現出来る。
日本の経済構造も根本から安定、脱石油・脱原発にも貢献する。
２、日本の石油輸入・支出は減り、アメリカのドル回収必要性は減り、世界平和への支出貢献がより可能となる。
３、電気エネルギーを、ヨーロッパ・ロシアに供給することが出来れば、日ロ交渉は１８５５年の日露通好条約の原点に戻らせ、南樺太を日本に要求、新幹線を樺太経由でロシアを東西に横断・配電網も併設、プーチン以外の民主化したロシア人数百万人の日本への就業・渡航を可能にする（これこそが本当の日ロ平和条約）。
【図面の簡単な説明】
【図１】立面図：トンネル内の構成・設備配置。
【図２】鳥瞰図：山の斜面にトンネル敷設、山頂と麓の配置を概観する。
【図３】タービン図：発電機と連結した横型水車の構造を提案する。
【図４】タービン設置・鳥瞰図：トンネル内水路に、タービンを設置。
【発明を実施するための形態】
電力会社１０社の管理・運営と、電気メーカー、建設業界、タービン製造重工業各社、地方自治体の連合体で、国家事業として建設する必要。
【産業上の利用可能性】１、日本全体に電気エネルギーを提供する。
２、脱石油、脱原子力によるエネルギー製造の転換。自給自足化。
３、自動車産業を主とする日本の産業のオール電化（無公害化）。
【図１】
2020169636.tif 000003
【図２】
2020169636.tif 000004
【図３】
2020169636.tif 000005
【図４】
2020169636.tif 000006
(57)【要約】      （修正有）【課題】トルクを増しても回転数が落ちない、トルク増幅器を提供する。【解決手段】シリンダーの形がリング状でリングの直径が大きくシリンダーの内径が小さい油圧器と、シリンダーの形がリング状でリングの直径が小さく、シリンダーの内径が大きい油圧器を、シリンダーの内径より大きい油圧調整タンクにパイプでつなぐ。【選択図】なし【特許請求の範囲】
【請求項１】
シリンダーの形がリング状でリングの直径が大きくシリンダーの内径が小さい油圧器とシリンダーの形がリング状でリングの直径が小さくシリンダーの内径が大きい油圧器をパイプで油圧調整タンクに繋ぐ構成の油圧トルク増幅器。
【発明の詳細な説明】
【技術分野】
【０００１】油圧よるトルク増幅器に関するものである。
【背景技術】
【０００２】従来の製品は、トルクを増やすと回転数が落ちた。
本発明はその欠点なくしたものである。【０００３】
【特許文献１】
【発明の概要】
【発明の解決しようとする課題】
【０００４】トルクを増やしても、回転数が変わらぬこと。
【解決するための手段】
【０００５】シリンダーの形がリング状でリングの直径が大きくシリンダー（７）の内径が小さい油圧器以下（Ａ）と云う、シリンダー（７）の形がリング状でリングの直径が小さく、シリンダー（７）の内径が大きい油圧器以下（Ｂ）と云うのを、（Ｂ）のシリンダーの内径より大きい油圧調整タンク以下（Ｃ）と云うのをパイプでつなぐ本発明は以上構成のトルク増幅器。
【発明の効果】
【０００６】油圧器（Ａ）と油圧器（Ｂ）のシリンダー（７）の容量が同じなら（Ａ）と（Ｂ）の回転数が同じになり（Ｂ）の容量が小さいと（Ｂ）の回転数が上る．
【図面の簡単な説明】
【０００７】
【図１】  トルク増幅器の正面図と左面図
【図２】  トルク増幅器の裏面図と上面図
【図３】  トルク増幅器の右面図
【図４】  トルク増幅器の断面図
【発明を実施ための形態】
【０００８】
【発明を実施ための形態】
【０００８】油圧調整タンク（Ｃ）に油を入れながら（Ａ）軸（６）を回転させ、油が（Ａ）から（Ｂ）そして，油面が油圧調整タンク（Ｃ）の８割に達したら、準備完了。
（Ａ）の軸（６）を回すとピストン（５）に油が押されて、パイプ（１）を通り（Ｂ）のシリンダー（７）に入り（Ｂ）のピストン（５）が油に押され、（Ｂ）の軸（６）が回り油はパイプ（２）を通り（Ｂ）のシリンダー（７）の内径より大きい油  圧調整タンク（Ｃ）に流れ、パイプ（３）を通り（Ａ）のシリンダー入る、
（４）の弁はピストンが近ずくと、ピストン軸のラインに押されて上がり過ぎると下りる。この繰り返しにより、トルクの増幅が継続する。
【符号の説明】
【０００９】１  シリンダーがリング状でリングの直径大きくシリンダーの内径が小さい油圧器以下（Ａ）と云う、
２  シリンダーがリング状でリングの直径が小さくシリンダーの内径が大きい油圧器以下（Ｂ）云う
３  油圧調整タンク（Ｃ）    ４  パイプ      １      ５  パオプ        ２
６  パイプ      ３        ７  弁          ４      ８  ピストン      ５
９  軸            ６      １０  シリンダー      ７
【手続補正書】
【提出日】令和1年9月2日(2019.9.2)
【手続補正１】
【補正対象書類名】明細書
【補正対象項目名】全文
【補正方法】変更
【補正の内容】
【発明の詳細な説明】
【技術分野】
【０００１】油圧よるトルク増幅器に関するものである。
【背景技術】
【０００２】従来の製品は、トルクを増やすと回転数が落ちた。
本発明はその欠点なくしたものである。
【背景技術】
【０００２】従来の製品は圧力を上げると器具の動作が遅くなった。
【特許文献１】
【０００３】
【発明の概要】
【発明の解決しようとする課題】
【０００４】トルクを増やしても、回転数が変わらぬこと。
【解決するための手段】
【０００５】シリンダーの形がリング状でリングの直径が大きくシリンダー（７）の内径が小さい油圧器以下（Ａ）と云う、シリンダー（７）の形がリング状でリングの直径が小さく、シリンダー（７）の内径が大きい油圧器以下（Ｂ）と云うのを、（Ｂ）のシリンダーの内径より大きい油圧調整タンク以下（Ｃ）と云うのをパイプでつなぐ本発明は以上構成のトルク増幅器。
【発明の効果】
【発明の効果】
【０００６】油圧器（Ａ）と油圧器（Ｂ）のシリンダー（７）の容量が同じなら（Ａ）と（Ｂ）の回転数が同じになり（Ｂ）の容量が小さいと（Ｂ）の回転数が上る．
【図面の簡単な説明】
【０００７】
【図１】  トルク増幅器の正面図と左側面図
【図２】  トルク増幅器の裏面図と上面図
【図３】  トルク増幅器の右面図
【図４】  トルク増幅器の断面図
【発明を実施ための形態】
【０００８】油圧調整タンク（Ｃ）に油を入れながら（Ａ）軸（６）を回転させ、油が（Ａ）から（Ｂ）そして，油面が油圧調整タンク（Ｃ）の８割に達したら、準備完了。
（Ａ）の軸（６）を回すとピストン（５）に油が押されて、パイプ（１）を通り（Ｂ）のシリンダー（７）に入り（Ｂ）のピストン（５）に油が押され、（Ｂ）の軸（６）が回り油はパイプ（２）を通り（Ｂ）のシリンダー（７）の内径より大きい油圧調整タンク（Ｃ）に流れ、パイプ（３）を通り（Ａ）のシリンダー入る、
（４）の弁はピストンが近ずくと、ピストンのラインに押されて上がり過ぎると下りる。
この繰り返しにより、トルクの増幅が継続する。
【符号の説明】
【０００９】１  シリンダーがリング状でリングの直径大きくシリンダーの内径が小さい油圧器以下（Ａ）と云う、
２  シリンダーがリング状でリングの直径が小さくシリンダーの内径が大きい油圧器以下（Ｂ）云う
３  油圧調整タンク（Ｃ）
４  パイプ      １
５  パオプ      ２
６  パイプ      ３
７  弁          ４
８  ピストン    ５
９  軸          ６
シリンダー（７）
【手続補正２】
【補正対象書類名】図面
【補正対象項目名】全図
【補正方法】追加
【補正の内容】
【図１】
2020169725.tif 000002
【図２】
2020169725.tif 000003
【図３】
2020169725.tif 000004
【図４】
2020169725.tif 000005
(57)【要約】      （修正有）【課題】目に見えない磁力線を可視化すると同時に、リアルタイムに磁力線の変化を可視化可能とする器具を提供する。【解決手段】スタティック（静的）な磁力線の可視化は、現在の技術力で可能であっても、ダイナミック（リアルタイム）に磁力線の可視化を実現するとなると、複雑で高価な器具（システム）しか存在しない。磁力線を可視化する磁性体に、外部からエネルギーを供給することにより、磁化された磁性体の結合を解除し、流動性を持たせることにより、変化する磁力線に対応した磁力線の観察を可能とした。【選択図】図４
2020169863.tif 000002
【特許請求の範囲】
【請求項１】
時間軸上で変化する、磁力線の強度並びに磁力線の形状を、リアルタイムで可視化可能な、簡単な構造（複雑な工作機械や、コンピュータ、磁気センサーが不要）で、かつ低価格（安い原価）で製造可能な器具。
【発明の詳細な説明】
【技術分野】
【０００１】
本発明は、肉眼では観察することができない磁力線の強度（磁束密度）、磁界のおよぶ空間、ダイナミックな磁力線の変化状況をリアルタイムに可視化して、肉眼または、カメラ、ビデオ等の器具で視認・撮影可能とするための器具です。
【背景技術】
【０００２】
磁力線の観察に磁性体粉末を使用して、スタティック（静的）な磁力線の可視化は現在でも可能ですが、磁性体粉末に、外部から運動エネルギーを供与することにより、リアルタイムで、最新の三次元空間磁場内での磁力線を肉眼で観察することを可能としました。
しかし、従来から存在する、磁性体粉末のみでの磁力線の観察では、リアルタイムで、ダイナミック（動的）な磁力線の変化を観察することは、ほぼ不可能でした。
【発明の概要】
【発明が解決しようとする課題】
【０００３】
磁場空間内において、いったん磁性体粉末が磁化されてしまうと、磁性体の粉末が磁力で結合してしまうため、ダイナミック（動的）に変化する磁力線を可視化することは困難です。
【課題を解決するための手段】
【０００４】
磁場空間内で磁化された磁性体粉末に、磁化された結合力以上のエネルギーを外部から連続的に供与することによって、結合を開放し、変化する磁力線をリアルタイムかつ、ダイナミックに可視化することが可能となります。
<br>
【図面の簡単な説明】
【０００５】
【図１】図１は、本発明品を上面から見た説明図です。（上面図１）<br>
【図２】図２は、本発明品を下部から見た説明図です。（底面図１）<br>
【図３】図３は、本発明品の使用方法を示した説明図です。<br>
【図４】図４は、本発明品を使用して、磁場の観察をした、サンプル写真です。<br>
【発明の開示】
【発明の効果】
【０００６】
３D（３次元）空間中の磁場（磁界による磁力線）を的確に、かつリアルタイムに可視化できるため、教育現場においては「磁場空間の肉眼での理解」、電磁石の実験であれば、「電流の強弱と磁力線の関係をリアルタイムに観察できるため、電流の強さと磁力線の相関関係の理解」も現実的にインパクトの強い体験をすることが可能になります。
また、職場においては、製造過程における検査作業の補助器具としての活用や、研究開発部門では、研究課題に対しての問題点の把握ならびに効果の確認をリアルタイムで簡単に行えるようになり、日本の研究開発の発展に寄与できると期待しています。
さらには、子供から大人まで、磁力線観察のホビー用品として、多くの人の利用も考えられます。
特に、重要な点は、コスト対効果という意味で、コンピュータおよび、専用のソフトや磁気感知素子などを使用した、大規模で高価な機材とほぼ同等の機能を、安価な価格で提供可能という点です。
従来、カメラで撮影したような空間磁場の静的な可視化（視覚化）とは異なり、ビデオカメラで撮影できるような、リアルタイムで、かつダイナミックな磁束変化が観測可能となることです。
【発明を実施するための形態】
【０００７】
以下、本発明の実施の形態について説明します。
（イ） 粉末磁性体を封入したパネルに振動エネルギーを供給するための超小型振動発生器具並びに、電源スイッチ、電源ホルダー、電池を設置する。
（ロ） 磁力線観察時に、電源スイッチのON／OFFにより、粉末磁性体への振動エネルギーの供給をコントロール（制御）し、ダイナミック（動的）な空間磁場内の磁力線の可視化を実現します。
【産業上の利用可能性】
【０００８】
目に見えない磁力線を動的に観察可能となるため、電気製品の製造検査作業に磁界の発生が必要不可欠の商品の「良品／不良品」の判定が、リアルタイムに実施可能となり作業効率の向上並びに品質の管理に大きく貢献できることが期待できます。
例としては、教育教材に使用する電磁石の不良品の発見に、磁力線の発生状況の有無、磁力線強度の確認、通電する電流による磁力線の強弱変化を、リアルタイム（即座）に目視確認できるため飛躍的に製品検査業務の効率化が可能と予測されます。
【符号の説明】
【０００９】
１  粉末磁性体封入パネル
２  超小型振動発生器具
３  電源スイッチ
４  電源（ボタン電池等、ならびに電池ホルダー）
５  電子部品保護ケース
【図１】
2020169863.tif 000003
【図２】
2020169863.tif 000004
【図３】
2020169863.tif 000005
【図４】
2020169863.tif 000006
【手続補正書】
【提出日】平成31年4月22日(2019.4.22)
【手続補正１】
【補正対象書類名】明細書
【補正対象項目名】０００４
【補正方法】変更
【補正の内容】
【０００４】
磁場空間内で磁化された磁性体粉末に、磁化された結合力以上のエネルギーを外部から連続的に供与することによって、結合を開放し、変化する磁力線をリアルタイムかつ、ダイナミックに可視化することが可能となります。
【手続補正２】
【補正対象書類名】明細書
【補正対象項目名】０００５
【補正方法】変更
【補正の内容】
【０００５】
【図１】図１は、本発明品を上面から見た説明図です。（上面図１）
【図２】図２は、本発明品を下部から見た説明図です。（底面図１）
【図３】図３は、本発明品の使用方法を示した説明図です。
【図４】図４は、本発明品を使用して、磁場の観察をした、サンプル写真です。
【手続補正書】
【提出日】平成31年4月22日(2019.4.22)
【手続補正１】
【補正対象書類名】図面
【補正対象項目名】全図
【補正方法】変更
【補正の内容】
【図１】
2020169863.tif 000007
【図２】
2020169863.tif 000008
【図３】
2020169863.tif 000009
【図４】
2020169863.tif 000010
(57)【要約】【課題】靴に埃やカビ、加水分解、型崩れなどで、靴が傷んでしまう事を予防する事ができる圧縮袋を提供する。【解決手段】本発明の圧縮袋は圧縮袋本体フィルム表（11）、圧縮袋本体フィルム裏（12）の二枚を重ね合わせ、図面1の接着部（6）の三辺を接着した、袋体である。その袋体の上部にチャック部（2）と開口部（3）を有する。圧縮袋本体には、別の袋体（41）（42）を接着している。（41）（42）の袋体には、それぞれ乾燥剤を設ける。【選択図】図１
2020169040.tif 000002
【特許請求の範囲】
【請求項１】
内部に靴を収納できる袋体に密閉するためのチャック部分と、
靴内部に入れるための袋体（41）（42）を有する事により、
靴内部（足を入れる部分）の空気を抜き、靴内部からも圧縮できるようにした事を特徴とする圧縮袋。
【請求項２】
前記の靴内部に入れるための袋体（41）（42）には乾燥剤を取り付けてある事を特徴とする、請求項１に記載の圧縮袋。
【発明の詳細な説明】
【技術分野】
【０００１】
本発明は靴を保管する際、ほこり、カビなどの汚れや、加水分解、型崩れから靴を守る為に改善した圧縮袋に関するものである。
【背景技術】
【０００２】
従来、靴箱にそのまま入れて保管するのが一般的な靴の保管方法である。
靴箱にそのまま靴を入れ、保管すると埃やカビ、加水分解、型崩れを起こす事がある。
【発明の概要】
【発明が解決しようとする課題】
【０００３】
上記の埃やカビ、加水分解、型崩れなどで、靴が傷んでしまう事を課題とした。
【課題を解決するための手段】
【０００４】
汚れの予防策として袋に入れる事。
加水分解の予防策として空気を抜き、さらに乾燥剤を使用する事。
型崩れの予防策として靴の内部（足を入れる空間）からも圧縮し空気を抜く事。
【発明の効果】
【０００５】
本発明によれば、靴をなるべく、空気に触れさせないようにすることにより、
通常の保管方法よりも、長期に保管ができるようになる。
【図面の簡単な説明】
【０００６】
【図１】本発明に係る圧縮袋の構成例を示す図である。
【図２】本発明の圧縮袋に靴を入れた状態の断面図である。
【発明を実施するための形態】
【０００７】
本発明の圧縮袋は圧縮袋本体フィルム表（11）、圧縮袋本体フィルム裏（12）の二枚を重ね合わせ、図面1の接着部（6）の三辺を接着した、袋体である。
その袋体の上部にチャック部（2）と開口部（3）を有する。
【０００８】
圧縮袋本体には、別の袋体（41）（42）を接着している。
（41）（42）の袋体には、それぞれ乾燥剤を設ける。
【符号の説明】
【０００９】
11 圧縮袋本体フィルム表
12 圧縮袋本体フィルム裏
2    チャック部
3    開口部
41 靴内部に入れるための袋体左
42 靴内部に入れるための袋体右
51 乾燥剤
52 乾燥剤
6    接着部
71 圧縮袋本体と靴内部に入れるための袋体左との接着部
72 圧縮袋本体と靴内部に入れるための袋体右との接着部
8    靴
【図１】
2020169040.tif 000003
【図２】
2020169040.tif 000004
(57)【要約】      （修正有）【課題】物件関係者敷地内又は物件関係者店舗隣にＭＲＵを配置および設置し、商業活動に掛かる人的作業及び経済的コストを極力少なくし利用者に便利な機能を併せ持つ店舗等が利用者の利便性向上に資するＩＣＴ機器端末を用いたＭＲＵ運営システムを提供する。【解決手段】ＩＣＴを用いたプログラムおよび情報通信機器を活用し包括的なデータの送受信で施設の利用並びに商行為行動をサーバ上で記録管理するシステムであって、利用者所有のスマートフォン等ＩＣＴ機器端末１−ａ、もしくは管理運営側ＩＣＴ機器端末３−ｂを用いて、管理運営側サーバ３−ａ内プログラムにより利用者の本人認証を行い、入店、購買行動、清算、退店、ユーザーの利便性向上ための予約および利用、その場で支払い・前払い・後払い、物品購入販売機能を備え、さらに広告等の機能、物件関係者に通知及び管理運営側と物件関係者との契約に基づく利益分配機能を備える。【選択図】図１
2020057336.tif 000002
【特許請求の範囲】
【請求項１】
管理運営側サーバ３−ａ上に管理運営プログラムを置き、店舗等の空きスペースを、すべての利用者（以後ユーザー）のための場所としてコンビニエンスストア等の物件関係者敷地内又は物件関係者店舗隣に前記ＭＲＵを配置および設置しＩＣＴ機器端末等を用い有効活用する。
前記ユーザー３−ａが本人確認のため等の情報を前記ユーザーの携帯電話等１−ａもしくは管理運営側ＩＣＴ機器端末３−ｂもしくは物件関係者が設置したＩＣＴ機器端末２−ａ少なくとも１つのＩＣＴ機器等を用いて前記管理運営側サーバに登録し前記管理運営側が前記管理運営側サーバ３−ａに商行為物流記録した品を設置した店舗等特定の場所前記ＭＲＵに入るため前記管理運営側等が用意するプログラム内ＩＣＴ電子的認証システムを用いて前記管理運営側サーバ３−ａを経由した情報により本人確認の後、前記管理運営側サーバ３−ａとオンラインでつながった電子マネーおよび全地球測位システム（以下ＧＰＳ）機能付きプリペイドカード等の選択ボタンのある前払い方式選択ボタンつき自動入金機等ＩＣＴ機器端末等に現金等を投入することで携帯電話等のＩＣＴ機器端末を所有している利用者もしくは携帯電話等のＩＣＴ機器端末を所有していなくても事前に前払いシステムが利用できるＩＣＴ端末機器を用いて通過記録後前記店舗等特定の場所前記ＭＲＵの入り口を解錠し、前記ユーザーが前記管理運営側の設置する自動販売機等の商品を選択する等商行為行動を前記管理運営側サーバに記録し清算をおこない前記ユーザーが購買品を所持するなどして、前記店舗等特定の場所に配置または設置された前記ＭＲＵ内の利用したい場所（以後ブース）を選択し、ＩＣＴ端末機器を用いてブースの入り口を解錠し利用するシステム
【請求項２】
前記ＭＲＵはシャワー、トイレ、洗面所及び乾燥風機能、換気口、簡易ベッド、全自動乾燥機付洗濯機、アイロン台、モバイルワイファイ、さらにはエアコン、自動販売機能、貯水槽、太陽光発電、蓄電機能等の全部もしくは少なくとも一つを含む設備が配備されており、前記ＩＣＴ機器端末で利用者の利用予約並びに入退出管理および料金支払い等の機能を持つもの及びその運営システムは予約、入退出、オーダー、精算、売買支払い機能を持つ
【請求項３】
前記ＩＣＴを用いた前記ＭＲＵとその運営システムは国及び地方公共団体等へ貸出せ、前記物件関係者とのユーザー共有及び前記物件関係者への通知システム
【請求項４】
前記ＩＣＴを用いた前記運営システムサーバ内プログラムはＱＲコード（（株）デンソーウェーブの登録商標（第４０７５０６６号））等のコード等を用いて予約、入退出管理、オーダー、精算、売買支払いをおこなうシステム並びに音声や映像の双方向カメラやセンサーを活用した店員等を援助する販売支援ウエブクラーク（ＷＥＢ  Ｃｌｅｒｋ）システム
【発明の詳細な説明】
【技術分野】
【０００１】  本発明は、前記ＩＣＴ機器端末を用いての前記ＭＲＵとその運営システムに関するものである。
【背景技術】
【０００２】  ＩＣＴ機器端末は開発・発展が目覚しく広く普及している。
スマートフォン、タブレット式ＩＣＴ端末等に多くの利用者がいることが背景となる。
【先行技術文献】
【特許文献】
【０００３】
【発明の概要】
【発明が解決しようとする課題】
【０００４】  しかしながら、未だＩＣＴ機器端末と連動する前記ＭＲＵ運営システムが整備されていなかった。
そのためＩＣＴ機器端末を活用し、利用者の利便性向上に資することを目的とした発明である。
【課題を解決するための手段】
【０００５】  前記ＩＣＴ機器端末を用い、前記ＭＲＵの配置および設置をおこなうことで、これまでは即時に利用できていなかったシャワー並びに休憩できる場所を利用者に提供することができるシステムである。
【発明の効果】
【０００６】  前記ＩＣＴ機器端末の活用で安心安全で便利で快適な社会をもたらすシステムである。
【図面の簡単な説明】
【０００７】
【図１】  代表図面  前記ＩＣＴ機器端末の活用でコンビニエンスストア等の物件関係者敷地内又は物件関係者店舗隣に前記ＭＲＵを配置および設置し、利用者の利便性の向上並びに快適さを提供する方法の説明及び前記ＭＲＵとその運営システムの全体概要および管理運営側が物件関係者にもたらす収益還元の説明図
【図２】  可動式又は設置式休憩ユニット  ＭＲＵ（Ｍｏｂｉｌｅ  Ｒｅｓｔｉｎｇ  Ｕｎｉｔ）上からみた図の一例
【図３】  可動式又は設置式休憩ユニット  ＭＲＵ（Ｍｏｂｉｌｅ  Ｒｅｓｔｉｎｇ  Ｕｎｉｔ）正面からみた図の一例
【図４】  前記ＭＲＵとその運営システム
【図５】  利用料金及び商品代金支払い処理フローチャート
【発明を実施するための形態】
【０００８】  おもに、自動車で移動される人もしくは歩行者が必要に応じ利活用できる前記ＭＲＵで、前記ＭＲＵにはシャワー、トイレ、洗面所及び乾燥風機能、換気口、簡易ベッド、全自動乾燥機付洗濯機、アイロン台、モバイルワイファイ、さらにはエアコン、自動販売機能、貯水槽、太陽光発電、蓄電機能等の全部もしくは少なくとも一つを含む設備が配備されており、前記ＩＣＴ機器端末で利用者の利用予約並びに入退出管理および料金支払い等の機能を持つものである。
【符号の説明】ａ＝シャワー室
ｂ＝多目的台
ｃ＝全自動洗濯乾燥機
ｄ＝アイロン台
ｅ＝脱衣場
ｆ＝各種自販機置場
ｇ＝ルーム
ｈ＝太陽光発電パネル
ｉ＝貯水槽
ｊ＝車輪等
ｋ＝ブース
ｌ＝モバイルワイファイ
ｍ＝トイレ
ｎ＝蓄電池
１−ａ＝利用者所有のスマートフォン等ＩＣＴ機器端末等
２−ａ＝管理運営側もしくは協力者が設置したＩＣＴ機器端末
３−ａ＝管理運営側サーバ
３−ｂ＝管理運営側ＩＣＴ機器端末
【図１】
2020057336.tif 000003
【図２】
2020057336.tif 000004
【図３】
2020057336.tif 000005
【図４】
2020057336.tif 000006
【図５】
2020057336.tif 000007
(57)【要約】【目的】ガラス張り塗装ブース、特に自動車を塗装するためのガラス張り塗装ブースに好適に用いられる塗装ブースの照明ユニットを提供する。【構成】塗装ブース内を照明するための照明ユニットであって、塗装ブースの壁面をガラス張りとし、壁面を形成するガラスの外面に照明ランプを収納した筐体を取り付けたことを特徴とする。【選択図】図１
2020057450.tif 000002
【特許請求の範囲】
【請求項１】
塗装ブース内を照明するための照明ユニットであって、塗装ブースの壁面をガラス張りとし、塗装ブースの壁面を形成するガラスの外面に照明ランプを収納した筐体を取り付けたことを特徴とする塗装ブースの照明ユニット。
【請求項２】
前記筐体は、筐体本体が金属板により上面が開放された直方体形状に成形され、筐体本体の上面にガラス製の蓋体が着脱可能に取り付けられ、筐体の内部に照明ランプが収納されてなり、筐体上面が前記塗装ブースのガラス壁面の外面に固定されていることを特徴とする請求項１に記載の塗装ブースの照明ユニット。
【請求項３】
前記塗装ブースが自動車塗装用の塗装ブースであることを特徴とする請求項１または請求項２に記載の塗装ブースの照明ユニット。
【請求項４】
前記筐体の上面に取り付けられたガラス製の蓋体が強化ガラスからなることを特徴とする請求項１〜３のいずれかに記載の塗装ブースの照明ユニット。
【発明の詳細な説明】
【技術分野】
【０００１】
本発明は塗装ブースの照明ユニット、特に、自動車塗装ブースに好適な塗装ブースの照明ユニットに関する。
【背景技術】
【０００２】
自動車などの塗装ブースにおいては、塗装剤から爆発性ガスが生じるため、塗装ブース内で照明器具を使用する場合には、爆発を防止する構造の照明器具を使用しなければならず、法令により照明器具の防爆検定が必要とされている。
【０００３】
しかしながら、近年、塗装ブースの壁面をガラス張りとしたガラス張り塗装ブースが出現し、壁面を形成するガラスの外面に照明器具が取り付けられるようになったことにより、塗装ブース用照明器具の防爆検定が不要となっている。
【発明の概要】
【発明が解決しようとする課題】
【０００４】
本発明は、ガラス張り塗装ブースの壁面を形成するガラスの外面に取り付ける照明ユニットについて検討した結果として提案されたものであり、その目的は、ガラス張り塗装ブース、特に自動車を塗装するためのガラス張り塗装ブースに好適に用いられる塗装ブースの照明ユニットを提供することにある。
【課題を解決するための手段】
【０００５】
上記の目的を達成するための請求項１による塗装ブースの照明ユニットは、塗装ブース内を照明するための照明ユニットであって、塗装ブースの壁面をガラス張りとし、塗装ブースの壁面を形成するガラスの外面に照明ランプを収納した筐体を取り付けたことを特徴とする。
【０００６】
請求項２による塗装ブースの照明ユニットは、請求項１において、前記筐体は、筐体本体が金属板により上面が開放された直方体形状に成形され、筐体本体の上面にガラス製の蓋体が着脱可能に取り付けられ、筐体の内部に照明ランプが収納されてなり、筐体上面が前記塗装ブースのガラス壁面の外面に固定されていることを特徴とする。
【０００７】
請求項３による塗装ブースの照明ユニットは、請求項１または請求項２において、前記塗装ブースが自動車塗装用の塗装ブースであることを特徴とする。
【０００８】
請求項４による塗装ブースの照明ユニットは、請求項１〜３のいずれかにおいて、前記筐体の上面に取り付けられたガラス製の蓋体が強化ガラスからなることを特徴とする。
【発明の効果】
【０００９】
本発明による塗装ブースの照明ユニットは以下の効果を達成することができる。
（１）ガラス張り塗装ブースのガラス壁面に簡単に取り付けることができる。
（２）照明ランプが収納された筐体の上面が塗装ブースのガラス壁面の外面に固定され、ガラス製の蓋体が着脱可能に取り付けられているから、照明ランプを取り換える場合は、塗装ブースのガラス壁面から筐体を取り外し、ガラス製の蓋体を開けて照明ランプを取り換えればよく、照明ランプの交換を簡単に行うことができる。
（３）筐体の上面に取り付けられたガラス製の蓋体が強化ガラスから構成されているから、万一、爆発が生じたとしても、筐体に収納された照明ランプを保護することができ、特に自動車塗装ブース用の照明ユニットとして好適に使用することができる。
【図面の簡単な説明】
【００１０】
【図１】本発明の塗装ブースの照明ユニットを構成する筐体の斜視図である。
【図２】照明ランプを収納した筐体を上から見た図である。
【図３】筐体の蓋体の開閉を示す図である。
【発明を実施するための形態】
【００１１】
本発明の塗装ブースの照明ユニットは、ガラス張りの塗装ブース内を照明するための照明ユニットであって、塗装ブースの壁面を形成するガラスの外面に照明ランプを収納した筐体を取り付けたことを特徴とするものであり、以下、本発明の塗装ブースの照明ユニットの一実施例を図面に基づいて説明する。照明ランプを収納した筐体の取り付け個数は塗装ブースの大きさなどを考慮して適宜決定される。
【００１２】
図１に示すように、照明ランプを収納する筐体１は、筐体本体２がアルミニウム合金板などの金属板により上面３が開放された、例えば鍔付きの直方体形状に成形され、筐体本体２の上面３にガラス製の蓋体４が着脱可能に取り付けられ、筐体１の内部に照明ランプＬ（図２に示す）が収納されてなる。
【００１３】
図１において、７は鍔付き直方体形状に成形された筐体本体２の上面に張りだした鍔、５は筐体本体２の蓋体４を構成するガラス、６はガラス５を取り付けるための枠材、８は、図３に示すように、筐体本体２に蓋体４を開放可能に取り付けるための蝶番である。蓋体４を構成するガラス５としては、強化ガラス（例えば、厚さ４ｍｍ）を使用するのが好ましい。
【００１４】
筐体１には、図２に示すように、筐体本体２内にＬＥＤランプ、蛍光ランプなどの照明ランプＬを取り付け金具９により取り付け、照明ランプＬを収納した筐体１の上面３を塗装ブースのガラス壁面（図示せず）の外面に固定する。１０は、筐体１の上面３を塗装ブースのガラス壁面の外面に固定するために、筐体本体２の鍔７に形成にされたボルト孔である。
【符号の説明】
【００１５】
１  筐体
２  筐体本体
３  筐体の上面
４  筐体の蓋体
５  蓋体４を構成するガラス
６  ガラス５を取り付けるための枠材
７  筐体本体２の上面に張りだした鍔
８  筐体本体２に蓋体４を開放可能に取り付けるための蝶番
９  照明ランプの取り付け金具
１０  筐体１の上面３を塗装ブースのガラス壁面の外面に固定するために筐体本体２の鍔７に形成にされたボルト孔
【図１】
2020057450.tif 000003
【図２】
2020057450.tif 000004
【図３】
2020057450.tif 000005
(57)【要約】      （修正有）【課題】身近なコンクリート等の斜面で乗れる車輪付のボードで、スノーボードやサーフィンなどの雪面や海面での深いエッジを食い込ませた操縦に近い感覚を得られるカービングロールボードを提供する。【解決手段】ボード本体１の前後端裏面に自在車輪２をそれぞれ１台ずつ設け、該ボード本体１の右側面および左側面のそれぞれに該ボード本体１の進行方向に細長い形状の誘導車輪固定バネ板３を設けるとともに、該誘導車輪固定バネ板３の前端部と後端部それぞれに誘導車輪４を設ける。該誘導車輪４は、誘導車輪軸方向５が該ボート本体１の進行方向に対して直角を成すように取り付ける。【選択図】図１
2020116361.tif 000002
【特許請求の範囲】
【請求項１】
ボード裏中央の前後に自在車輪を設けボード水平時は自在車輪のみ接地し進行方向の無い自在滑走、ボードエッジ傾きで誘導車輪も接地し進行方向を誘導、誘導車輪軸はエッジ傾け量の接地圧で前後の誘導車輪軸方向が変化、ボード進行ターン径をエッジの傾け量で操作可能、誘導車輪軸はバネ板の撓み（たわみ）量で変化し、接地圧の反発力のある深いエッジ押し込みのカービングターンを可能にした。
ボードエッジ裏側にエッジを傾けると外側へ曲がる角度を有したバネ板の中心付近をボードと固定、バネ板はエッジ傾き圧で上下と前後の誘導車輪軸方向を必要なボード進行カーブ径に撓み進行方向を誘導、接地圧に対し反発力も発生、
ボード水平時は進行方向の無い自在滑走でサイドスリップやドリフトも可能、エッジ傾け量の誘導車輪軸の変化量で直進から急激なターンまで操作可能
深いエッジ押し込みのカービングターンではより強いバネ板の反発力も生まれターンの切り替えしも可能にしたカービングロールボードである。
【発明の詳細な説明】
【発明の詳細な説明】
【発明に属する技術分野】
【０００１】スノーボードやサーフィンのような雪面や水上を操るボードは接地面が流体状で深いエッジ押し込みが特徴のカービングターンが大きな魅力、
また、ボード水平状態でのサイドスリップやドリフトなどの自在滑走も魅力の一つ、しかし特別な環境が必要で雪山や海への移動と季節や天候に合わせる必要が生じます。
そこで、コンクリート斜面などの生活圏内でスノーボードやサーフィンの自在滑走や深いエッジ押し込みでのカービングターンに近い性能のロールボード発明である。
【背景技術】
【０００２】従来、普及してるロールボードはスケートボードですが、車輪の高さ内での車輪軸カムのねじれとゴムの収縮で車輪軸方向を変化、ボードエッジを傾けると進行方向がカーブする仕組み
車輪が地面に接地したままでサイドスリップやドリフトは低速では困難、また車輪軸のねじれ範囲が車輪の高さに制限され、スノーボードやサーフィンのような深いエッジ押し込みでのカービング感覚は不可能。
【発明が解決しようとする課題】
【０００３】スノーボードやサーフィンの特性はボード水平ではサイドスリップやドリフトが出来る進行方向性のない自在滑走、
体重移動での深いエッジの傾きに応じた方向性やターン半径を操作、それに伴う雪面や海面の反発力との操縦が醍醐味で魅力、自在滑走とボードエッジの深い押し込みに反応できる構造が不可欠。
【課題を解決するための手段】
【０００４】  ボードを水平に保つと前後の自在車輪のみ地面と接地し方向性のないサイドスリップやドリフトが低速でも可能
エッジを傾けると外側へ撓む角度を有した中心固定のバネ板前後の誘導車輪が地面に接地、エッジを大きく傾けると大きく撓み誘導車輪の車輪軸方向が大きく変化、直進から急激なターンまでエッジの傾き量で操作可能
またバネ板の長さでの撓みなので、通常のスケートボードではできなかった深いエッジ押し込みとそれに伴う反発力でのカービングターンを可能にした。
【発明を実施するための形態】
【０００５】本発明は、ボード裏前後に自在車輪を設け、ボード水平時には自在車輪のみ接地する高さに設定、ボード裏の左右エッジ付近にエッジを傾けると外側へ曲がる角度を有し中心付近で固定したバネ板の前後に誘導車輪を備えた。（バネ板代わりにコイルバネやゴム等で反発を持つ稼働版でも可能）（誘導車輪数や取付場所は求める特性で異なる）
ボードエッジを軽めに傾けると誘導車輪が接地、斜滑降のような直進方向へ誘導、ボードエッジをやや強めに傾けると誘導車輪固定のバネ板が撓み、前後の誘導車輪の軸方向が変化、ボード進行方向を緩いカービングターンへと誘導する、
ボードエッジをより深く傾けると誘導車輪固定のバネ板がより撓み、誘導車輪軸方向が大きく変化、ボード進行方向を急激なカービングターンへと誘導、カービングターンの回転径はボードエッジの傾き具合で無段階に操作可能
スノーボードやサーフィンの接地面流体状での深いエッジ押し込み操作に近い感覚をコンクリート上でも可能にした。
【発明の効果】
【０００６】普及してるスケートボードでは誘導車輪軸の傾きが車輪の高さ内での構造で浅いエッジ傾きでのカービング操作となり、流体状面を滑るスノーボードやサーフィンの深いエッジ操作とは異なる感覚でした、本発明は長いバネ板の撓みで誘導車輪軸が変化する為、地面からの反発力も生まれ、スノーボードやサーフィンに近い深いエッジ押し込みのカービングターン操作を可能にした。
また、ボード水平時では自在車輪のみでの自由滑走なので、スノーボードやサーフィンの特徴であるサイドスリップやドリフトなどの自在滑走も可能にできた。
【図面の簡単な説明】
【図１】ボード▲１▼裏面中心付近に自在車輪▲２▼を前後に設け、ボード裏両エッジ付近にエッジの傾きで外側に撓む角度の誘導車輪取り付けバネ板▲３▼を設けた、バネ板▲３▼の前後に誘導車輪▲４▼を設置（誘導車輪は複数でも可能）（バネ板代わりに稼働板をコイルバネやゴム等の収縮で反動させるのも可能である）誘導車輪軸方向▲５▼
【図２】エッジ傾きでの誘導車輪軸変化図
【符号の説明】▲１▼：  ボード本体
▲２▼：  自在車輪
▲３▼：  誘導車輪固定バネ板
▲４▼：  誘導車輪
▲５▼：  誘導車輪軸方向
【図１】
2020116361.tif 000003
【図２】
2020116361.tif 000004